(57)【要約】【課題】簡易な構造の複数ブロック玩具で各種乗物を片手でも形成可能とした、低年令の幼児向けのブロック玩具を提案するものである。【解決手段】上下両面正方形状の假想六面体２を左右に連続させた第１台盤１ａの各假想六面体上面中央に円形穴３を穿設し、下面から短円柱４を垂下する第１ブロック体11と上記假想六面体を実在独立の六面体とした第２台盤12の上面に円形穴３を穿設し、下面から短円柱４を垂下する第２ブロック体11と任意形状の第３台盤15下面から短円柱４を垂下する第３ブロック体14と、第１台盤１ａと同様に設けた第４台盤22の各假想六面体上面に円形穴３を穿設すると共に第４台盤の左右両側前後に車輪23を付設した第４ブロック体21とを有し、各円形穴３を同一内径として各短円柱４を下端から上端まで嵌合可能とした。【選択図】図１
2007082647.tif 000002
【特許請求の範囲】
【請求項１】
上下両面ほぼ正方形で同一大きさとした複数の假想六面体２を、左右方向へ一体に連続させた直方体を第一台盤１ａとなし、各假想六面体２の上面中央には円形穴３を穿設すると共にその円形穴底壁の下面からは、短円柱４を垂下する第１ブロック体１と、
上記假想六面体２を実在六面体として第２台盤12となし、該第２台盤の上面中央に円形穴３を穿設すると共に該円形穴底壁の下面からは短円柱４を垂下させた第２ブロック体11と、
任意形状に設けた第３台盤15下面から短円柱４を垂設した第３ブロック体14と、
上記第１台盤１ａとほぼ同一に設けた第４台盤22の各假想六面体２の上面中央に円形穴３を穿設すると共に第４台盤の左右両端部の前後両側には車輪23を付設した第４ブロック体21とを有し、
上記円形穴３内径を同一内径とすると共に各短円柱４は円形穴３内へ、下端から上端まで嵌合可能に形成した
ことを特徴とするブロック玩具。
【請求項２】
上方からみて、上記假想六面体２上面と同一大きさの假想正方形26を左右方向へ連続させた水平上面形状で、前後方向からみて水平上面の左右両端間を下方へ張出す湾曲線27で連結した形状の第５台盤28を有し、上記各假想正方形26の各中心には、円形穴３を穿設し、これ等各円形穴３内へは、請求項１記載のブロック体が有する短円柱４を嵌合可能とした第５ブロック体25と、
既述請求項１の第１、第２、第３ブロック体とを有する
ことを特徴とするブロック玩具。
【発明の詳細な説明】
【技術分野】
【０００１】
本発明は、複数のブロック玩具を嵌合場所を変えることで複数の乗物等に片手で変化させて遊ぶことが可能に設けたブロック玩具に関する。
【背景技術】
【０００２】
上記ブロック玩具として、透孔や、該透孔内へ嵌合できる突部を有する８通りの異る形状等のブロックを有し、これ等各ブロックで自動車、オートバイ、鳥等種々のものを組立てできるよう設けたものが知られている（特許文献１）。
【特許文献１】実開昭５４−１６６９９５号公報
【発明の開示】
【発明が解決しようとする課題】
【０００３】
上記従来例ブロックは、各ブロック体に穿設した透孔方向と直交する方向へ突部を突出させているから、特定のブロック体に対して他のブロック体を上下方向および横方向から連結することとなり、すると複数ブロック体連結により形成された組立て物の構造が複雑化することとなり、すると低年齢の幼児向け又は要介護者等のリハビリ用のブロック玩具としてはその組立てが困難であった。
本発明は、上記透孔に代る円形穴と突部に代る短円柱とをブロック体の上下方向に設けて、各ブロック体の組立てを片手でも行うことが出来、よって上記幼児等、特に手が不自由な要介護者にとっても容易に行えるよう設けたものである。
【課題を解決するための手段】
【０００４】
第１の手段として、上下両面ほぼ正方形で同一大きさとした複数の假想六面体２を、左右方向へ一体に連続させた直方体を第一台盤１ａとなし、各假想六面体２の上面中央には円形穴３を穿設すると共にその円形穴底壁の下面からは、短円柱４を垂下する第１ブロック体１と、
上記假想六面体２を実在六面体として第２台盤12となし、該第２台盤の上面中央に円形穴３を穿設すると共に該円形穴底壁の下面からは短円柱４を垂下させた第２ブロック体11と、
任意形状に設けた第３台盤15下面から短円柱４を垂設した第３ブロック体14と、
上記第１台盤１ａとほぼ同一に設けた第４台盤22の各假想六面体２の上面中央に円形穴３を穿設すると共に第４台盤の左右両端部の前後両側には車輪23を付設した第４ブロック体21とを有し、
上記円形穴３内径を同一内径とすると共に各短円柱４は円形穴３内へ、下端から上端まで嵌合可能に形成した。
【０００５】
第２の手段として、上方からみて、上記假想六面体２上面と同一大きさの假想正方形26を左右方向へ連続させた水平上面形状で、前後方向からみて水平上面の左右両端間を下方へ張出す湾曲線27で連結した形状の第５台盤28を有し、上記各假想正方形26の各中心には、円形穴３を穿設し、これ等各円形穴３内へは、請求項１記載のブロック体が有する短円柱４を嵌合可能とした第５ブロック体25と、
既述請求項１の第１、第２、第３ブロック体とを有する。
【発明の効果】
【０００６】
各ブロック体が有する円形穴３はすべてのブロック体の上面へ、又短円柱４はブロック体下面から垂下させているから、各ブロック体の組立ては、短円柱４を垂下しない第４ブロック体21ないし第５ブロック体25上へ他のブロック体を積上げて形成でき、第４ブロック体上へ積上げれば車輪付きの乗物を、又第５ブロック体上への積上げで、船、或いは飛行機等を作ることが出来、又第３ブロック体14を除く各ブロック体の上面は同一大きさの正方形を単位とし、該正方形を単独或いは左右方向へ連続した大きさとしているから、下方ブロック体上への上位ブロック体の積上げが簡易化できる。従って片手だけでも容易にブロック遊びすることが出来る。
【０００７】
請求項１のようにすることで、車輪付きの汽車、電車、自動車等を容易に組立て出来る。
【０００８】
請求項２のようにすることで、汽船、飛行機等の組立てが容易である。
【発明を実施するための最良の形態】
【０００９】
以下図面について説明すると１は第１ブロック体を示し、該ブロック体は、上下両面ほぼ正方形で、同一大きさとした複数の假想六面体２を、左右方向へ一体に連続させた直方体を第１台盤１ａとなし、各假想六面体２の上面中央には有底の円形穴３を穿設すると共にその円形穴底壁の下面からは短円柱４を垂下する。第１台盤１ａは図１Ａ、Ｂ、Ｃが示すようにその左右両端角部を面取りしてもよく、又図１Ｄが示すように面取りしなくてもよい。上記円形穴３は、短円柱４の下端から上端までを回動可能に嵌合することが可能に設けたもので、円形穴内径は短円柱４外径よりもやや大径としている。図１ＡとＢとは假想六面体を３個、図１Ｃは５個、図１Ｄは２個連続させている。
【００１０】
図２は第２ブロック体11を示す。上記假想六面体２を実在の六面体として第２台盤
12となし、該第２台盤の上面中央に円形穴３を穿設し、かつ該円形穴の底壁下面から短円柱４を垂設している。図２Ａが示す第２台盤12は、図２Ｂが示す第２台盤12の二分の一の厚みとしている。
【００１１】
図３は第３ブロック体14で任意形状に設けた第３台盤15下面から短円柱４を垂下させている。図示例において図３Ａは球形頭部16から下方大径のテーパ状胴部17を垂下し、かつ該胴部下面から脚該当部として短円柱４を垂下させて人型の第３ブロック体14ａとしており、図３Ｂは、既述假想六面体２の上下両面と同一大きさとした正方形を平面形状とした六面体の上面右縁から下面左縁までを側面からみて弧状の曲板18として曲面付きの第３ブロック体14ｂとし、かつ該第３台盤下面から短円柱４を垂下している。図３Ｃは第３台盤を第１かまぼこ型の第３ブロック体14Ｃに形成し、かつその上面に円形穴３を穿設し、その円形穴底壁から短円柱４を垂下させている。尚該かまぼこ型第３ブロック体14Ｃ底面は、既述假想六面体の上下両面と同一大きさの正方形としている。
【００１２】
図３Ｄは図３Ｃと同一大きさの第２かまぼこ型の第３ブロック体14ｄで形成し、その上面および下面中央にそれぞれ円形穴３を穿設している。
【００１３】
図３Ｅは、上下同一外径の円柱型第３ブロック体14ｅ下部を短円柱４としている。
【００１４】
第３台盤15は上記14ａ、14ｂ、14ｃ、14ｄ、14ｅのすべてを必要とするものではなく、その一部を使用してもよく、又上記14ａから14ｅまでの第３ブロック体のほか、適宜形状の第３ブロック体を形成して使用することが出来る。
【００１５】
図４は第４ブロック体21を示すもので、既述第１台盤１ａと同様に設けた第４台盤22が有する假想六面体２の各上面中央に円形穴３を穿設し、又第４台盤の左右両端部の前後側面に車輪23を付設している。該車輪は第４台盤22前後方向に貫通した軸棒両端へ付設させ、車輪の回転が可能に形成している。図４Ａは假想六面体三個を連続させて形成し、図４Ｂは假想六面体二個を連続させて形成しているが、四個以上としてもよい。この場合は第４ブロック体21の左右方向中間の前後側面へも車輪23を付設するとよい。
【００１６】
図５は第５ブロック体25を示す。該ブロック体は、上方からみて既述假想六面体２の上面と同一大きさかつ複数の假想正方形26を左右方向へ連続させた形状の水平上面を有し、前後方向からみて、水平上面の左右両端間を、下方へ張出す湾曲線27で連結した形状の第５台盤28を有し、上記各假想正方形26の各中央には円形穴３を穿設したものである。図示例では假想正方形五箇を連続させているが、五箇よりも少くても又多くてもよい。
【００１７】
尚既述各ブロック体における円形穴３又短円柱４はすべてそれぞれ同一大きさとし、各円形穴３内へ短円柱４を回動可能に嵌合可能とする。
【００１８】
上記各ブロック体のほか、図６が示すような補助部材を用いることが出来る。該部材は、前後両側板32、32の左右両端部を除く中間部に、複数の連結棒33を等間隔に設けて梯子状部を設け、該梯子状部両側板の左右両端間に回動ブロック34を回動可能に枢着させ、かつその回動ブロックの前後方向中間部から、既述短円柱４と同一外径の円棒35を突出させて梯子状補助材31としたものである。
【００１９】
図７以下は、既述各ブロック体を組合せて乗物を組立てた例を示すものであり、図７は図４Ｂが示す假想六面体二個の第４ブロック体21前部に図３Ｂの曲面付き第３ブロック体14を組付け、その後方に図２Ａの第２ブロック体11を嵌め、更に、該第２ブロック体11上へ人型の第３ブロック体14Ａを嵌めて小型車41を形成したものである。
【００２０】
図８は図が示す複数のブロック体を用いて、トラック42を形成したものであり、図９は電車、図10は汽車、図11は飛行機を形成したものである。
【００２１】
尚図８の場合は図４Ａの二個の第４ブロック体21の端面相互を突合せ、それ等第４ブロック体の円形穴内へ図１Ａの第１ブロック体１の短円柱を嵌合させて上記二個の第４ブロック体21を第１ブロック体１で連結しているが、図９および図10の場合は、二個の第４ブロック体21を離して左右に並べ、左方第４ブロック体の右端の円形穴内へ第１ブロック体１の左方の短円柱を、又右方第４ブロック体21の左方円形穴内へ第１ブロック体右方の短円柱を嵌合させて、上記両第４ブロック体21、21を第１ブロック体１で連結している。このようにすることで、図８の場合には両第４ブロック体21は直列的に屈折不能に連結されて尚同一方向へ進行するが、図９と図10の場合は両第４ブロック体21は、円形穴に対して短円柱が回動することで、左方第４ブロック体21は右方第４ブロック体21に対して進路を変更して進行させることが出来る。
【００２２】
図11は第５ブロック体25上へ図１Ｃの第１ブロック体１等複数のブロック体を組付けして飛行機45を形成したものである。
【００２３】
図12は図４Ａの第４ブロック体21のほか、図２Ａおよび図２Ｂの第２ブロック体11、又図３Ａの第３ブロック体14ａ、梯子状補助部材31を組合せて梯子車を46とした。
【００２４】
図13は、上記第４ブロック体21、図２Ｂの第２ブロック体11、図３Ｄの第３ブロック体14ｄ、上記梯子状補助部材31等を組合せてショベルカー47としたものである。
【図面の簡単な説明】
【００２５】
【図１】第１ブロック体を示すもので、図１Ａは斜上方からみた斜視図、図１Ｂは下方からみた傾斜図、図１Ｃは大形の第１ブロック体傾斜図、図１Ｄは小形の第１ブロック体の斜視図である。
【図２】第２ブロック体を示すもので、図２Ａは薄型の第２ブロック体、図２Ｂは厚く設けた第２ブロック体の各傾斜図である。
【図３】第３ブロック体を示すもので、図３Ａは人型第３ブロック体、図３Ｂは曲面付き第３ブロック体、図３Ｃは第１かまぼこ形第３ブロック体、図３Ｄは第２かまぼこ型第３ブロック体、図３Ｅは円柱型第３ブロック体を示す斜視図である。
【図４】第４ブロック体で、図４Ａは基準長さの第４ブロック体、図４Ｂは短く設けた第４ブロック体の各斜視図である。
【図５】第５ブロック体を示す斜視図である。
【図６】各種ブロック体と共に使用できる梯子状補助部材の斜視図である。
【図７】ブロック体を組合せて形成した小形自動車の斜視図である。
【図８】ブロック体を組合せて形成したトラックの斜視図である。
【図９】ブロック体を組合せて形成した電車の斜視図である。
【図１０】ブロック体を組合せて形成した汽車の斜視図である。
【図１１】ブロック体を組合せて形成した飛行機の斜視図である。
【図１２】ブロック体と梯子状補助部材とを組合せて形成した梯子車の斜視図である。
【図１３】ブロック体と梯子状補助部材とを組合せて形成したシャベルカーの斜視図である。
【符号の説明】
【００２６】
１    第１ブロック体              １ａ  第１台盤
11    第２ブロック体              12    第２台盤
14    第３ブロック体              15    第３台盤
21    第４ブロック体              22    第４台盤
25    第５ブロック体              28    第５台盤
【図１】
2007082647.tif 000003
【図２】
2007082647.tif 000004
【図３】
2007082647.tif 000005
【図４】
2007082647.tif 000006
【図５】
2007082647.tif 000007
【図６】
2007082647.tif 000008
【図７】
2007082647.tif 000009
【図８】
2007082647.tif 000010
【図９】
2007082647.tif 000011
【図１０】
2007082647.tif 000012
【図１１】
2007082647.tif 000013
【図１２】
2007082647.tif 000014
【図１３】
2007082647.tif 000015